(57)【要約】  湿度制御装置（１００）は、湿度変動パターンに従って対象空間の湿度を制御する湿度制御部（１１０）を備え、湿度変動パターンは、湿度を変動させたパターンであって、平均湿度がカビが繁殖する湿度より低く、かつ、最大湿度が人の肌又は粘膜が乾燥しない湿度である。
2016189806.tif 000002
【特許請求の範囲】
【請求項１】
湿度変動パターンに従って対象空間の湿度を制御する湿度制御部を備え、
前記湿度変動パターンは、湿度を変動させたパターンであって、平均湿度がカビが繁殖する湿度より低く、かつ、最大湿度が人の肌又は粘膜が乾燥しない湿度である
湿度制御装置。
【請求項２】
前記湿度変動パターンを記憶する記憶部を備える
請求項１記載の湿度制御装置。
【請求項３】
前記記憶部は、前記湿度変動パターンを複数記憶し、
複数の前記湿度変動パターンのいずれかを選択する湿度変動パターン選択部を備える
請求項１又は２に記載の湿度制御装置。
【請求項４】
コンピュータを、請求項１〜３のいずれか１項に記載の湿度制御装置として機能させるためのプログラム。
【発明の詳細な説明】
【技術分野】
【０００１】
本発明は、湿度制御装置及びプログラムに関する。
【背景技術】
【０００２】
人が快適に過ごせるように住空間の空気質（空気）を最適に制御するシステム又は機器が提案されている。例えば、室内の温度及び湿度を最適に制御することで快適な室内環境を実現できるシステム又は機器が知られている。【０００３】
例えば、特許文献１には、予測平均申告（ＰＭＶ：Ｐｒｅｄｉｃｔｅｄ  Ｍｅａｎ  Ｖｏｔｅ）指標に基づいて温度及び湿度の制御目標値を設定して制御することで、室内を常時快適に保つことができる空調制御システムが開示されている。【０００４】
また、特許文献２には、室温に対応する湿度目標値を設定し、装置運転時の温度及び湿度の上昇度合いを推定等して最適加湿量を求めて制御することで、室温に応じた快適湿度にいち早く近づけて、安定した湿度環境を実現できる加湿装置が開示されている。
【先行技術文献】
【特許文献】
【０００５】
【特許文献１】特開平１０−３３２１８７号公報
【特許文献２】特開平５−７１７９０号公報
【発明の概要】
【発明が解決しようとする課題】
【０００６】
特許文献１、２に開示された技術は、いずれも人にとって快適とされる温度及び湿度を保つように制御するものである。【０００７】
湿度（相対湿度）については、室内での基準値が決められている。例えば、事務所衛生基準規則又は建築物における衛生的環境の確保に関する法律（建築物衛生法、ビル管理法）では、室内での湿度を４０％〜７０％と定めている。また、アメリカ暖房冷凍空調学会（ＡＳＨＲＡＥ）では、湿度（相対湿度）と微生物に関する研究結果より、最適湿度範囲を４０％〜６０％と定めている。湿度に関するこれらの基準は、ウイルス、バクテリア、菌類又はダニ等の増殖範囲、あるいは、呼吸器疾患又はアレルギー症状等の増悪から、最も害のない領域を最適範囲として提示したものである。【０００８】
通常、最適範囲（最適値）と言われる湿度は、これらの基準に基づいており、定常的に所定の範囲内の湿度に保つことが目標とされている。【０００９】
したがって、これまでの湿度制御装置では、基本的には室内の湿度を一定に保つような制御を行っている。つまり、ユーザが設定変更しなければ、室内の湿度をある特定の値（最適値）に維持するような制御を行っている。例えば、４０％〜７０%の範囲内で湿度に応じた目標湿度を設定し、室内の湿度がこの目標湿度で一定に保たれるような制御が行われる。【００１０】
とこで、室内の湿度は、人が感じる快適さとは別に、人の肌又は粘膜にも影響を与えることが知られている。人の肌又は粘膜は保湿されていることが望ましく、人の肌又は粘膜の乾燥を防ぐことが望ましい。このため、人の肌又は粘膜にとって、湿度はより高い状態にあるとよい。例えば、湿度が６０％と８０％とでは肌水分量が大きく異なるという既存研究結果、また、気管内で外気が加湿されて肺ではほぼ湿度１００％になるという医学的知見等が存在する。【００１１】
一方、室内の湿度は人だけではなく建物にも影響を与える。例えば、湿度が高いと、カビが繁殖して建材（木材）が腐朽してしまう。このため、建物にとって、湿度はより低い状態にあるとよい。【００１２】
本発明は、このような課題を鑑みてなされたものであり、人の肌又は粘膜にとっても建物にとっても適した湿度の空気質を得ることができるとともに高い快適性を得ることができる湿度制御装置及びプログラムを提供することを目的とする。
【課題を解決するための手段】
【００１３】
上記目的を達成するために、本発明に係る湿度制御装置の一態様は、湿度変動パターンに従って対象空間の湿度を制御する湿度制御部を備え、前記湿度変動パターンは、湿度を変動させたパターンであって、平均湿度がカビが繁殖する湿度より低く、かつ、最大湿度が人の肌又は粘膜が乾燥しない湿度である。【００１４】
なお、本発明は、コンピュータを上記湿度制御装置として機能させるためのプログラムとして実現したり、そのプログラムを格納したコンピュータ読み取り可能な記録媒体として実現したりすることもできる。
【発明の効果】
【００１５】
人の肌又は粘膜にとっても建物にとっても適した湿度の空気質を得ることができるとともに、高い快適性を得ることができる。
【図面の簡単な説明】
【００１６】
【図１】図１は、実施の形態に係る湿度制御システムの構成を示すブロック図である。
【図２】図２は、実施の形態に係る湿度制御システムにおける湿度変動パターンの一例を示す図である。
【図３Ａ】図３Ａは、実施の形態に係る湿度制御システムにおける湿度変動パターンの第１の他の例を示す図である。
【図３Ｂ】図３Ｂは、実施の形態に係る湿度制御システムにおける湿度変動パターンの第２の他の例を示す図である。
【図３Ｃ】図３Ｃは、実施の形態に係る湿度制御システムにおける湿度変動パターンの第３の他の例を示す図である。
【図３Ｄ】図３Ｄは、実施の形態に係る湿度制御システムにおける湿度変動パターンの第４の他の例を示す図である。
【図４】図４は、実施の形態に係る湿度制御システムにおける湿度変動パターンのデータ値の一例を示す図である。
【図５】図５は、変形例１に係る湿度制御システムの構成を示すブロック図である。
【図６】図６は、変形例２に係る湿度制御システムの構成を示すブロック図である。
【発明を実施するための形態】
【００１７】
以下、本発明の実施の形態について説明する。なお、以下に説明する実施の形態は、いずれも本発明の好ましい一具体例を示すものである。したがって、以下の実施の形態で示される、数値、構成要素、構成要素の配置位置及び接続形態、並びに、ステップ及びステップの順序等は、一例であって本発明を限定する主旨ではない。よって、以下の実施の形態における構成要素のうち、本発明の最上位概念を示す独立請求項に記載されていない構成要素については、任意の構成要素として説明される。
【００１８】
また、各図は、模式図であり、必ずしも厳密に図示されたものではない。なお、各図において、実質的に同一の構成に対しては同一の符号を付しており、重複する説明は省略又は簡略化する。
【００１９】
（実施の形態）
実施の形態に係る湿度制御システム１の構成について、図１を用いて説明する。図１は、実施の形態に係る湿度制御システム１の構成を示すブロック図である。
【００２０】
図１に示すように、湿度制御システム１は、湿度制御装置１００と、除加湿装置２００とを有する。
【００２１】
湿度制御装置１００は、対象空間の湿度を制御するために、除加湿装置２００に対して、対象空間の湿度を制御するための制御指示を送る。湿度制御装置１００は、除加湿装置２００との通信を行うことができるパソコン等の通信端末である。湿度制御装置１００と除加湿装置２００との通信は、無線通信及び有線通信のいずれであってもよい。なお、湿度制御が行われる対象空間は、例えば、建物の住空間（室内）等である。
【００２２】
本実施の形態において、湿度制御装置１００は、湿度制御部１１０と、記憶部１２０と、湿度変動パターン選択部１３０とを備える。
【００２３】
湿度制御部１１０は、所定の湿度変動パターンに従って対象空間の湿度を制御する。具体的に、湿度制御部１１０は、除加湿装置２００に対して、対象空間の湿度を制御するための制御指示を送る。
【００２４】
記憶部１２０（データベース）は、湿度変動パターンを記憶する。つまり、所定の条件を満たす湿度変動パターンを予め作成しておき、記憶部１２０に記憶させておく。本実施の形態において、記憶部１２０は、湿度変動パターンを複数記憶する。複数の湿度変動パターンの各々は、互いに異なるパターンである。
【００２５】
湿度変動パターン選択部１３０は、複数の湿度変動パターンのいずれかを選択する。具体的には、湿度変動パターン選択部１３０は、ユーザからの指示に基づいて、記憶部１２０に記憶された複数の湿度変動パターンの中からいずれか一つを選択する。例えば、ユーザが複数の湿度変動パターンの中から所望のパターンを選択すると、湿度変動パターン選択部１３０は、記憶部１２０に記憶された複数の湿度変動パターンの中からユーザが選択した湿度変動パターンを選択し、この選択した湿度変動パターンを湿度制御部１１０に送る。
【００２６】
なお、湿度制御装置１００は、ユーザが湿度変動パターンを選択するための湿度変動パターン入力部を有していてもよい。湿度変動パターン入力部は、例えばタッチパネル等のユーザインターフェースである。
【００２７】
除加湿装置２００は、加湿機能及び除湿機能を有しており、湿度制御装置１００からの制御指示に基づいて、対象空間に対して加湿又は除湿を行う。
【００２８】
本実施の形態において、除加湿装置２００は、加湿部２１０と、除湿部２２０と、湿度測定部２３０とを備える。
【００２９】
加湿部２１０は、対象空間を加湿する装置であり、例えば対象空間に水蒸気を噴霧する加湿器である。加湿器としては、例えば、水を沸騰させて蒸気（湯気）にして送り出すスチーム式、又は、水を超音波振動によって細かく破砕して送り出す超音波式等がある。
【００３０】
除湿部２２０は、対象空間を除湿する装置であり、例えば対象空間の空気から水分を取り除く除湿器である。除湿器としては、例えば、コンプレッサで冷媒を循環させて冷却器で湿った空気を冷やして湿気を水滴に変えることで空気中の水分を取り除くコンプレッサ方式、又は、ゼオライト（乾燥剤）に水分を吸着させて乾いた空気を送り出すゼオライト方式等がある。
【００３１】
湿度測定部２３０は、対象空間の湿度を測定する計測器であり、例えば湿度計（湿度センサ）である。湿度測定部２３０で測定した湿度は、除加湿装置２００の表示部（不図示）に表示したり、湿度制御装置１００に送信したりする。
【００３２】
このように構成される湿度制御システム１では、湿度変動パターンに基づいて対象空間の湿度が制御される。
【００３３】
ここで、本実施の形態の湿度制御システム１における湿度変動パターンについて、図２を用いて説明する。図２は、実施の形態に係る湿度制御システム１における湿度変動パターンの一例を示す図である。
【００３４】
本実施の形態において、湿度変動パターンは、湿度を変動させたパターンであって、平均湿度がカビが繁殖（増殖）する湿度より低く、かつ、最大湿度が人の肌又は粘膜が乾燥しない湿度である。
【００３５】
このように、湿度変動パターンは、制御目標となる目標の湿度（値）を時間的に変動させたパターンになっている。つまり、湿度変動パターンは、対象空間の湿度をある特定の値に維持するための一定の値となったパターンではなく、対象空間の湿度を意図的に変化させるために、湿度の値を上下に振って変動させたパターンである。図２に示すように、本実施の形態における湿度変動パターンは、サイン波の形状となっている。
【００３６】
また、湿度変動パターンは、所定の条件を満たしながら、目標の湿度を変動させたパターンになっている。
【００３７】
条件としては、まず、湿度変動パターンの平均湿度（平均値）は、カビが繁殖する湿度より低くなっている。つまり、湿度変動パターンの平均湿度は、カビが繁殖しない湿度範囲内になっており、ある一定時間経過した場合にカビが繁殖する湿度（Ｈｍ）よりも低くなっている。具体的には、湿度変動パターンにおけるある一定時間内の平均湿度を、カビの成長が妨げられる湿度以下にしている。
【００３８】
ある一定時間とは、例えば、本実施の形態のように、湿度変動パターンがサイン波などの周期的な変動パターンである場合、１周期のことであり、この１周期の平均値が湿度変動パターンの平均湿度となる。また、湿度変動パターンが、１／ｆなどのようにランダムに変化するなどで変動パターンに周期性がない場合は、任意の所定の単位時間（例えば、１時間、２時間など）を予め設定しておいて、その単位時間内の平均値を湿度変動パターンの平均湿度にすればよい。
【００３９】
一例として、カビが繁殖する湿度（Ｈｍ）を７０％に設定し、湿度変動パターンの平均湿度が６５％となるようにしている。なお、カビが繁殖する湿度（Ｈｍ）及び湿度変動パターンの平均湿度は、これらの値に限定されるものではない。
【００４０】
さらに、湿度変動パターンの最大湿度（最大値）は、人の肌又は粘膜が乾燥しない湿度（Ｈｄ）になっている。つまり、湿度変動パターンの上限湿度（上限値）となる最大湿度は、それ以下になると人の肌又は粘膜が乾燥してしまう湿度を超える湿度に設定されている。
【００４１】
一例として、湿度変動パターンの最大湿度は、７０％〜９０％の範囲内の値であるが、これに限るものではない。本実施の形態において、人の肌又は粘膜が乾燥しない湿度（Ｈｄ）を８０％に設定しているので、湿度変動パターンの最大湿度は８０％である。なお、人の肌又は粘膜が乾燥しない湿度（Ｈｄ）は８０％に限るものではない。
【００４２】
また、本実施の形態における湿度変動パターンについては、さらに、下限湿度（下限値）となる最小湿度（最小値）がカビの繁殖を妨げられる湿度以下となるように条件設定されている。具体的には、湿度変動パターンの最小湿度は、人の肌又は粘膜が乾燥しない湿度（Ｈｄ）以下になっている。
【００４３】
一例として、湿度変動パターンの最小湿度は、３０％〜６０％の範囲内の値であるが、これに限るものではない。本実施の形態において、湿度変動パターンの最小湿度は、４５％である。
【００４４】
このような条件で作成された湿度変動パターンは、人の肌又は粘膜が乾燥しないように、一時的にはカビが繁殖する湿度（Ｈｍ）を超えている。具体的には、湿度変動パターンにおける湿度は、カビが繁殖する湿度（Ｈｍ）を下回ったり上回ったりしている。本実施の形態では、湿度変動パターンをサイン波の形状にすることで、カビが繁殖する湿度（Ｈｍ）を周期的に下回ったり上回ったりするようにしている。
【００４５】
このように、本実施の形態では、湿度変動パターンをサイン波の形状にしているが、上記の所定の条件を満たしていれば、湿度変動パターンは、サイン波の形状に限るものではない。
【００４６】
例えば、湿度変動パターンは、図３Ａに示すように、連続する三角波の形状であってもよいし、図３Ｂに示すように、最大値と最小値との二値で切り替える形状（例えばパルス波）であってもよいし、図３Ｃに示すように、湿度を急峻に増加（上昇）させて徐々に減少させるような形状であってもよいし、図３Ｄに示すように、ランダム形状であってもよい。このように、湿度変動パターンの形状には特に制限はないが、湿度変動は即時応答するものではなく対象空間における環境湿度（現実の湿度）は瞬時に変動しないため、湿度変動パターンには、ある程度の時間幅を持たせておくとよい。例えば、湿度変動パターンの１周期は、数秒程度ではなく、数十分程度であるとよい。
【００４７】
また、湿度変動パターンにおける湿度のデータ値は、連続値に限るものではなく、非連続値（離散値）であってもよい。例えば、湿度変動パターンにおける湿度のデータ値は、図４に示すように、一定時間ごとの湿度を示したテキストデータであってもよい。この場合、湿度変動パターンは、所望の変動パターンとなるように、一定間隔ごとに定められた時間ステップと、時間ステップごとに定められた制御湿度（目標湿度）とによって構成されている。なお、図４において、時間ステップ０は、制御開始時点を示している。
【００４８】
次に、本実施の形態に係る湿度制御システム１における湿度制御方法について、図１を参照しながら説明する。
【００４９】
まず、ユーザは、複数の湿度変動パターンの中から所望の湿度変動パターンを１つ選択する。このとき、ユーザが選択しやすいように各湿度変動パターンに名称を付けておき、各湿度変動パターンがどのような特徴を有するかを直感的に分かりやすくして表示するとよい。例えば、より人の肌にとって好ましい湿度変動パターンである場合は、「保湿モード」など表示し、よりカビが繁殖しにくい湿度変動パターンである場合は、「カビ防止モード」などと表示することができる。
【００５０】
ユーザが湿度変動パターンを選択すると、湿度変動パターン選択部１３０は、選択された湿度変動パターンを記憶部１２０から読み出して湿度制御部１１０に送る。
【００５１】
湿度制御部１１０は、湿度変動パターン選択部１３０から送られた湿度変動パターンに基づいて、除加湿装置２００に除加湿に関する制御指示を送る。
【００５２】
除加湿装置２００は、湿度制御部１１０からの制御指示に基づいて対象空間を除湿及び加湿する。具体的には、加湿部２１０及び除湿部２２０によって加湿（加湿運転）及び除湿（除湿運転）を行う。
【００５３】
このとき、除加湿装置２００は、湿度測定部２３０によって対象空間（例えば室内）の環境湿度を測定し、測定した湿度情報を湿度制御装置１００（湿度制御部１１０）に送る。湿度制御部１１０は、除加湿装置２００からの対象空間の環境湿度のフィードバックを受け、選択された湿度変動パターンに環境湿度が追随するように除加湿装置２００に制御指示を送る。これにより、対象空間の環境湿度が、選択された湿度変動パターンと同様のパターンで変動する。
【００５４】
このように、ユーザがある湿度変動パターンを選択すると、選択された湿度変動パターンが記憶部１２０から読み出されて、この湿度変動パターンに基づいた除加湿制御が行われるが、記憶部１２０に記憶された湿度変動パターンが図４に示すようなテキストデータである場合、湿度制御部１１０は、図４に示されるタイムテーブルに従って湿度に関する制御指示を除加湿装置２００に送る。
【００５５】
このとき、制御開始時点での環境湿度が湿度変動パターンにおける制御開始時間での湿度（変動開始湿度）と乖離している場合、環境湿度が湿度変動パターンに追随するような制御を行うことが難しくなる場合がある。この場合、以下の湿度制御を行うとよい。
【００５６】
例えば、現在の環境湿度が変動開始湿度以下である場合（環境湿度≦変動開始湿度）、湿度制御部１１０は、除加湿装置２００からの環境湿度（湿度情報）と時間ステップ０以降の各制御湿度とを比較し、最も差分値が小さくなるときの時間ステップの制御湿度を制御開始時点の湿度とし、除加湿装置２００に制御指示を送る。そして、湿度制御部１１０は、環境湿度が制御指示どおりの湿度（値）になった時点で、制御指示として上記時間ステップの次の時間ステップの制御湿度を除加湿装置２００に送り、以降、湿度変動パターンに従った湿度制御を行う。
【００５７】
例えば、現在の環境湿度が４５％である場合、時間ステップ３の制御湿度（５０％）との差分が最小であるので、制御開始時点の湿度を５０％にする。そして、環境湿度が５０％になったら、湿度変動パターンによる湿度制御を開始して、以降、時間ステップ４、５、６、・・・の順で湿度制御を行う。
【００５８】
一方、現在の環境湿度が変動開始湿度よりも大きい場合（環境湿度＞変動開始湿度）、湿度制御部１１０は、湿度変動パターンの次の時間ステップ以降の制御湿度と環境湿度とを比較し、制御湿度が環境湿度以上（制御湿度≧環境湿度）となる時間ステップがあれば、その時間ステップ以降の制御湿度で制御指示を行い、環境湿度が湿度変動パターンの制御湿度の最大値よりも大きい（環境湿度＞制御湿度の最大値）となる場合には、まずは、除湿による制御を行う。
【００５９】
例えば、現在の環境湿度が７０％である場合、湿度変動パターンにおける時間ステップ１、２、３、・・・の各時間ステップの制御湿度と環境湿度（７０％）とを比較すると、時間ステップ１の制御湿度が環境湿度以上（制御湿度８０％≧環境湿度７０％）であるので、時間ステップ１の制御湿度で湿度制御を開始し、以降、時間ステップ２、３、４、・・・の順で湿度制御を行う。つまり、この例では、時間ステップ０の制御湿度での制御指示は行わない。
【００６０】
また、現在の環境湿度が８５％である場合（梅雨などで適切な湿度よりも環境湿度の方が高いような場合）、湿度変動パターンにおける時間ステップ１、２、３、・・・の各時間ステップの制御湿度と環境湿度（８５％）とを比較すると、環境湿度（８５％）が湿度変動パターンの制御湿度の最大値（８０％）よりも大きいので除湿を行う。
【００６１】
以上、本実施の形態に係る湿度制御装置１００によれば、湿度を変動させたパターンであって、平均湿度がカビが繁殖する湿度より低く、かつ、最大湿度が人の肌又は粘膜が乾燥しない湿度である湿度変動パターンに従って対象空間の湿度を制御する湿度制御部を備えている。
【００６２】
このように、本実施の形態における湿度変動パターンは、最大湿度が人の肌又は粘膜が乾燥しない湿度になっている。これにより、人の肌又は粘膜が乾燥しない状態を保つことができる。特に、肌又は粘膜によい高湿度状態においては、身体に負荷のかからない呼吸ができるため、身体的なリラックス効果が望める。つまり、呼吸が楽にできると自然と深い呼吸になるため、例えば呼吸筋のストレッチ効果によりリラックス効果が望める。
【００６３】
また、本実施の形態における湿度変動パターンは、湿度を変動させつつ、平均湿度をカビが繁殖する湿度よりも低くなっている。これにより、建物にとっての悪影響のあるカビの繁殖を抑制することができる。つまり、カビが繁殖するには温度及び湿度の条件が存在するところ、ある一定の期間高湿状態に保たれていなければカビは発生せず、高湿状態が持続しない環境下ではカビが発生しても増殖しない。言い換えると、高湿状態になったとしてもその状態が継続する期間が短ければ、必ずしもカビが増殖するとは限らない。なお、既に発生してしまったカビを殺すには低湿度状態を数時間保つ必要があるが、本実施の形態では、カビの増殖を抑制することを主目的としており、カビは殺さなくてもよい。
【００６４】
しかも、本実施の形態における湿度変動パターンは、湿度の値を変動させている。つまり、湿度を時間的に変化させている。このように、湿度を変動させることによって、定常の刺激に比べて高い快適性を得ることができる。つまり、人には状態への順応が存在し、ある一定の刺激を受け続けていると反応が低下するという特性があり、受ける刺激は変動した方が快適に感じられる。例えば、刺激の強い臭いであっても、この臭いを嗅ぎ続けていると、臭いの感覚が麻痺して反応が低下する。一方、風速・風向の変化などで刺激が変化すると快適性が向上する。また、香り濃度を変化させることでα波が増加するという既存研究も存在する。
【００６５】
このように、本実施の形態における湿度制御装置１００は、単に人の肌又は粘膜にも建物にも適した湿度範囲内で湿度制御を行うものではなく、意図的に湿度を変動させることによって、一時的にはカビが繁殖しうる湿度になるものの、平均湿度をカビが繁殖する湿度より低くし、かつ、最大湿度を人の肌又は粘膜が乾燥しない湿度となる湿度変動パターンで対象空間の湿度制御を行っている。
【００６６】
これにより、人の肌又は粘膜にとっては高湿度が望ましい一方で、建物（木材）にとっては低湿度が望ましいという相反する要求を満たすことができるとともに、高い快適性をユーザに与えることができる。
【００６７】
したがって、本実施の形態に係る湿度制御装置１００によれば、人の肌又は粘膜にとっても建物にとっても適した湿度の空気質を得ることができるとともに、高い快適性を得ることができる。
【００６８】
また、本実施の形態において、湿度制御装置１００は、湿度変動パターン選択部１３０を備えていたが、湿度変動パターンが１つに固定されているような場合、湿度変動パターン選択部１３０は必ずしも設ける必要はない。具体的には、図５に示されるように、湿度制御装置１００Ａは、湿度制御部１１０と記憶部１２０とで構成されていてもよい。この場合、湿度制御部１１０は、記憶部１２０から湿度変動パターンを直接読み出して湿度制御を行えばよい。なお、図示しないが、記憶部１２０についても別途設けなくてもよく、湿度制御部１１０内のメモリ等に湿度変動パターンを保存しておいてもよい。
【００６９】
また、本実施の形態において、湿度制御装置１００と除加湿装置２００とは別体で構成したが、これらを一体化してもよい。つまり、図６に示されるように、湿度制御装置１００Ｂそのものが除加湿装置であってもよい。具体的には、湿度制御装置１００Ｂは、湿度制御部１１０、記憶部１２０及び湿度変動パターン選択部１３０に加えて、加湿部２１０と除湿部２２０と湿度測定部２３０とを備えていてもよい。
【００７０】
また、本実施の形態において、さらに、対象空間の環境温度を計測する温度センサ（温度計測器）を設けてもよい。この場合、温度センサと湿度センサとを組み合わせて絶対湿度の算出を行うことで、季節変化に対応して湿度制御を行うことができる。例えば、湿度変動パターンを基準湿度からの差分（＋１０％、−５％など）で予め構築しておき、基準環境を例えば気温２５℃、湿度５０％などのように定めておく。絶対湿度が基準環境と一致するように、温度センサで取得した現在の環境温度に対応する相対湿度を求めて、これを基準湿度として湿度変動パターンを運用する。これにより、季節ごとの変化に対応しつつ、人体にも建物にも配慮がなされた空気質を得ることができる。
【００７１】
なお、本実施の形態において、環境湿度が低い場合には、加湿運転を停止したり弱めたりすることで湿度制御を行うことができるが、梅雨時など、もともと自然環境側の湿度が高くて加湿をする必要性が全くない状態においては、湿度変動パターンを満足させるには除湿運転が必要となる。
【００７２】
（その他変形例等）
以上、本発明に係る湿度制御装置等について、実施の形態に基づいて説明したが、本発明は、上記の実施の形態に限定されるものではない。
【００７３】
例えば、上記の実施の形態において、湿度制御を行う対象空間（室内）の環境湿度は、除加湿装置２００で測定したが、これに限るものではなく、別途専用の湿度測定器（湿度センサ）を対象空間に設けて測定してもよい。
【００７４】
また、上記の実施の形態では、ユーザが複数の湿度変動パターンの中から所望の湿度変動パターンを選択するようにしたが、これに限るものではない。例えば、ユーザが湿度変動パターンを選択するのではなく、現在の環境湿度などをもとに湿度制御装置が自動で最適な湿度変動パターンを判定及び選択してもよい。
【００７５】
その他、上記の実施の形態に対して当業者が思いつく各種変形を施して得られる形態、又は、本発明の趣旨を逸脱しない範囲で上記の実施の形態における構成要素及び機能を任意に組み合わせることで実現される形態も本発明に含まれる。
【００７６】
また、上記の実施の形態において、湿度制御部１１０及び湿度変動パターン選択部１３０を含めて湿度制御装置１００の動作として説明した処理は、コンピュータによって実行することができる。例えば、コンピュータが、プロセッサ（ＣＰＵ）、メモリ及び入出力回路等のハードウェア資源を用いてプログラムを実行することによって、上記の各処理を実行する。具体的には、プロセッサが処理対象のデータをメモリ又は入出力回路等から取得してデータを演算したり、演算結果をメモリ又は入出力回路等に出力したりすることによって、各処理を実行する。
【００７７】
また、上記の実施の形態において、記憶部１２０は、例えば、ＳＲＡＭ又はＤＲＡＭ等の揮発性の記憶装置からなる主記憶装置、もしくは、磁気ディスク、光ディスク、光磁気ディスク又は半導体メモリ等の不揮発性の記憶装置からなる補助記憶装置によって構成される。
【００７８】
また、上記の各処理を実行するためのプログラムは、コンピュータ読み取り可能なＣＤ−ＲＯＭ等の非一時的な記録媒体に記録されてもよい。この場合、コンピュータが、非一時的な記録媒体からプログラムを読み出して、プログラムを実行することにより、各処理を実行する。
【符号の説明】
【００７９】
１００、１００Ａ、１００Ｂ  湿度制御装置
１１０  湿度制御部
１２０  記憶部
１３０  湿度変動パターン選択部
【図１】
2016189806.tif 000003
【図２】
2016189806.tif 000004
【図３Ａ】
2016189806.tif 000005
【図３Ｂ】
2016189806.tif 000006
【図３Ｃ】
2016189806.tif 000007
【図３Ｄ】
2016189806.tif 000008
【図４】
2016189806.tif 000009
【図５】
2016189806.tif 000010
【図６】
2016189806.tif 000011
【国際調査報告】
2016189806.tif 000012
2016189806.tif 000013